(57)【要約】【課題】  フィルタをメンテナンスする際の安全性を確保しつつ、部品点数を減らすことが可能な床置き型の空気調和機を提供する。【解決手段】  エアフィルタ１１を介して調和前の空気を吸い込み、調和後の空気を排出する、床置き型空気調和機１であって、ファン３と、ケーシング４と、前面下部パネル９とを備えている。ケーシング４は、内部にファン３を収容する。前面下部パネル９は、ケーシング４に対する開閉が自在となるように装着され、ケーシング４に対して外側に向けて開く。また、前面下部パネル９は、エアフィルタ１１を収納するフィルタ収納部９１と、安全リブ部９７とを有している。このうち、フィルタ収納部９１は、前面下部パネル９が開くことによりエアフィルタ１１の着脱が可能になる。安全リブ部９７は、フィルタ収納部９１と一体に形成されており、前面下部パネル９が開いてケーシング４とフィルタ収納部９１との間にスペースＳが生じたときに、スペースＳを通じたケーシング４の外部からファン３へのアクセスを阻む。【選択図】        図７
2006064216.tif 000002
【特許請求の範囲】
【請求項１】
フィルタ（１１）を介して調和前の空気を吸い込み、調和後の空気を排出する、床置き型空気調和機（１）であって、
送風機（３）と、
前記送風機（３）を内部に収容するケーシング（４）と、
前記ケーシング（４）に開閉自在に装着され、前記ケーシング（４）に対して外側に開く、パネル（９）と、
を備え、
前記パネル（９）は、前記フィルタ（１１）を収納するフィルタ収納部（９１）と、安全部（９７）とを有しており、
前記フィルタ収納部（９１）は、前記パネル（９）が開くことにより前記フィルタ（１１）の着脱が可能になり、
前記安全部（９７）は、前記フィルタ収納部（９１）と一体に形成されており、前記パネル（９）が開いて前記ケーシング（４）と前記フィルタ収納部（９１）との間にスペース（ＯＳ）が生じたときに、前記スペース（ＯＳ）を通じた前記ケーシング（４）の外部から前記送風機（３）へのアクセスを阻む、
床置き型空気調和機（１）。
【請求項２】
前記安全部（９７）は、前記パネル（９）が開く方向である開き方向の幅よりも、前記フィルタ収納部（９１）の端部に略平行な方向の幅のほうが長い、
請求項１に記載の床置き型空気調和機（１）。
【請求項３】
前記安全部（９７）は、前記パネル（９）が閉じている状態では、前記ケーシング（４）の外側であって前記パネル（９）が開く方向から見て前記送風機（３）と重ならない位置であって、前記パネル（９）を開くときにできる前記安全部（９７）の開き軌道平面に対して垂直な方向から見て前記送風機（３）と少なくとも一部が重なる位置に配置されている、
請求項１または２に記載の床置き型空気調和機（１）。
【請求項４】
前記安全部（９７）は、前記パネル（９）の開き方向とは略反対の方向に向けて前記フィルタ収納部（９１）から延びるようにして設けられており、前記パネル（９）が開いて前記ケーシング（４）との間にスペース（ＯＳ）が生じた状態で、前記スペース（ＯＳ）に位置する、
請求項１から３のいずれか１項に記載の床置き型空気調和機（１）。
【請求項５】
前記ケーシング（４）は、係止手段（４６，４７）を有しており、
前記安全部（９７）は、前記ケーシング（４）に対する前記パネル（９）の開き度合いを規制するための、前記係止手段（４６，４７）と係止する被係止手段（９８ｈ，９９ｈ）を有している、
請求項１から４のいずれか１項に記載の床置き型空気調和機（１）。
【請求項６】
前記安全部（９７）の被係止手段（９８ｈ、９９ｈ）は、少なくとも前記パネル（９）が開くときにできる前記安全部（９７）の軌道に対応するように、前記安全部（９７）の厚み方向に貫通して設けられた長穴（９８ｈ，９９ｈ）であって、
前記ケーシング（４）の係止手段（４６，４７）は、前記長穴（９８ｈ，９９ｈ）に対して前記安全部（９７）の厚み方向に貫通させつつ前記ケーシング（４）に固定される貫通材（４６，４７）である、
請求項５に記載の床置き型空気調和機（１）。
【請求項７】
前記貫通材（４６）は、座金（４６ａ）を有する座金付き螺子（４６）であって、
前記座金（４６ａ）の直径は、前記パネル（９）が開いたときにできる前記安全部（９７）の開き軌道平面上であって、前記安全部（９７）の移動方向に対して略垂直な方向における前記長穴（９８ｈ，９９ｈ）の幅よりも長い、
請求項６に記載の床置き型空気調和機（１）。
【請求項８】
前記安全部（９７）の被係止手段（９８ｈ，９９ｈ）は、前記フィルタ収納部（９１）および前記安全部（９７）と一体に形成される、
請求項５から７のいずれか１項に記載の床置き型空気調和機（１）。
【請求項９】
前記安全部（９７）は、前記パネル（９）が閉じている状態では、前記送風機（３）の外側であって、前記ケーシング（４）の内側に位置する、
請求項１から８のいずれか１項に記載の床置き型空気調和機（１）。
【請求項１０】
前記パネル（９）は、一端がヒンジになって前記ケーシング（４）に対して装着されている、
請求項１から９のいずれか１項に記載の床置き型空気調和機（１）。
【請求項１１】
前記安全部（９７）は、前記パネル（９）が開いた状態において、前記安全部（９７）の開き軌道平面に略垂直な方向から見た場合に、前記安全部（９７）と前記ケーシング（４）とが少なくとも一部において前記パネル（９）の開き方向に向けて連続するように設けられている、
請求項１０に記載の床置き型空気調和機（１）。
【発明の詳細な説明】
【技術分野】
【０００１】
本発明は、床置き型空気調和機、特に、フィルタを介して調和前の空気を吸い込み、調和後の空気を排出する、床置き型空気調和機に関する。
【背景技術】
【０００２】
従来の床置き型空気調和機は、送風機によって室内空気を吸い込み、フィルタを介して埃等を低減させ、熱交換等により所定の温度に調整された調和空気を室内に送出している。ここで、フィルタは、空気調和機を駆動させるにつれて徐々に汚れていき目詰まりを起こすため、一般的に、各ユーザによる定期的なフィルタの清掃・交換が行われる。このようなフィルタの定期的な清掃作業等を簡単にするために、従来から、フィルタを着脱自在とした構造のパネルを有する空気調和機が考案されている。このような空気調和機では、フィルタを本体から取り外して清掃・交換することができる。例えば、以下の特許文献１、図１１および図１２において示すように、フィルタの収納が可能な吸い込みパネルが、床置き型空気調和機１００，２００本体の室内空気を吸い込む位置に配置されているものがある。この吸い込みパネル１９１，２９１は、下端部にヒンジを用いることで本体に装着され、本体の外側に向けて回動させることで開くことができるようになっている。このように、吸い込みパネル１９１，２９１が開いた状態で内部に収納されているフィルタ１１１，２１１を取り出して、各ユーザによるフィルタの清掃・交換が行われる。
【０００３】
ところで、このような床置き型空気調和機は、フィルタの近傍に送風機が設けられているために、何ら安全上の対策を取らなければ、吸い込みパネルを開いた状態において回転中の送風機へのアクセス可能性を残してしまう。すなわち、吸い込みパネルが開いた状態では、本体内部に配置されている送風機へのアクセス可能性が残ってしまうため、空調関係者と比べて空調機構造等の知識が乏しいユーザ等が、あやまって回転中の送風機に指や手等を接触させてしまうおそれがある。この点を改善するために、以下の特許文献１で示される床置き型空気調和機１００では、本願の図１１において示すように、送風機１０３自体に接触防止用網１９７を装着させることで、ユーザによるフィルタ１１１，２１１の着脱等が安全に行われるような構成が採用されている。また、図１２において示すように、床置き型空気調和機２００では、吸い込みパネル２９１の開きをセンシングできるリミットスイッチを設けることで、安全性を確保する構成を採用している。例えば、リミットスイッチ２９７は、図１２において示すように、床置き型空気調和機２００の本体側に設置されており、吸い込みパネル２９１が開いた状態を感知することができるようになっている。これにより、吸い込みパネル２９１が開いた状態においてリミットスイッチ２９７がこれを感知することで、本体内部の制御部（図示せず）に送風機２０３の回転を止める制御を行わせることができ、安全性を確保できるようになっている。
【０００４】
このように、従来の床置き型空気調和機１００，２００では、空気調和機本体に対して吸い込みパネル１９１，２９１が開いた状態での安全性確保の観点から、接触防止用網１９７、もしくは、リミットスイッチ２９７等が設けられている。
【特許文献１】特開２００１−１３７３２６号公報
【発明の開示】
【発明が解決しようとする課題】
【０００５】
しかし、上述した従来の床置き型空気調和機１００，２００では、接触防止用網１９７、もしくは、リミットスイッチ２９７等が、吸い込みパネル１９１，２９１とは別個に設けられている。このため、床置き型空気調和機１００，２００の製造において、吸い込みパネル１９１、２９１は別個の安全性確保のための部品が必要となっている。このため、安全性確保の各部品自体を製造するために要する部品製造コストやその所要時間、さらにそれらの部品同士を組み合わせるための製造装置や製造工程に要する組み立てコストやその所用時間が必要となる。
【０００６】
本発明は上述した点に鑑みてなされたものであり、本発明の課題は、フィルタをメンテナンスする際の安全性を確保しつつ、部品点数を減らすことのできる床置き型の空気調和機を提供することにある。
【課題を解決するための手段】
【０００７】
第１発明に係る床置き型空気調和機は、フィルタを介して調和前の空気を吸い込み、調和後の空気を排出する、床置き型空気調和機であって、送風機と、ケーシングと、パネルとを備えている。ケーシングは、内部に送風機を収容する。パネルは、ケーシングに対する開閉が自在となるように装着され、ケーシングに対して外側に向けて開く。また、パネルは、フィルタを収納するフィルタ収納部と、安全部とを有している。このうち、フィルタ収納部は、パネルが開くことによりフィルタの着脱が可能になる。安全部は、フィルタ収納部と一体に形成されており、パネルが開いてケーシングとフィルタ収納部との間にスペースが生じたときに、スペースを通じたケーシングの外部から送風機へのアクセスを阻む。なお、ここでのパネルの開閉は、例えば、パネルの側端部がヒンジとなって開閉される場合や、パネル全体をケーシングに対して外側にスライドさせて開閉させる場合等が含まれる。
【０００８】
従来のような床置き型空気調和機では、フィルタのメンテナンス時においてパネルを開いた状態での安全性を確保するために、送風機に対して接触防止用網を設けたり、パネルが開いた状態での送風機の運転を停止させるためのリミットスイッチを設ける等、パネルとは別個の部品が必要となっている。他方で、接触防止用網やリミットスイッチ等を設けることによる安全性確保のための対策は不可欠である。
【０００９】
これに対して、第１発明の床置き型空気調和機では、フィルタのメンテナンス等のためにケーシングに対してパネルを開いた状態であっても、フィルタ収納部とケーシングとの間のスペースを通じたケーシングの外部から送風機へのアクセスを、安全部によって阻むことができる。このため、パネルを開けた状態でフィルタのメンテナンスを行う場合であっても、メンテナンスする者の手等が回転中の送風機に接触してしまうという危険性を抑えることができ、安全性を確保することができる。また、この安全性確保のための安全部は、フィルタを収納するフィルタ収納部と一体に形成される。このため、安全性確保のために別途の部品を設けることが不要となり、部品点数を削減することができる。したがって、第１発明の床置き型空気調和機では、安全性確保のための安全部をフィルタ収納部と一体形成することで、安全性を確保しつつ部品点数を減らすことが可能になる。
【００１０】
第２発明に係る床置き型空気調和機は、第１発明の床置き型空気調和機であって、安全部は、パネルが開く方向である開き方向の幅よりも、フィルタ収納部の端部に略平行な方向の幅のほうが長くなるように形成されている。
ここでは、安全部は、パネルの開き方向の幅よりも、フィルタ収納部の端部に略平行な方向の幅のほうが長くなるように形成されている。このため、ケーシングに対するフィルタ収納部の開きスペース幅が安全部の開き方向の幅と同程度の場合において、フィルタ収納部とケーシングとの間に生じる開きスペースをより効果的にカバーできるようになる。このため、ケーシングに対するフィルタ収納部の開きスペース幅が安全部の開き方向の幅と同程度の場合において、送風機へのアクセスをより効果的に阻むことが可能になる。なお、安全部が、フィルタを着脱するのに要するフィルタ収納部の開きスペース幅と同程度の幅を、開き方向の幅として備えることにより、フィルタの着脱作業を可能にすることと安全性の確保との両方を達成することができる。例えば、安全部の開き方向の幅としては、フィルタを着脱するのに要するフィルタ収納部の開きスペース幅と同程度の幅を備えていれば足りることになり、安全部が必要以上に大きくならないようにすることで、安全部をコンパクト化させることが可能となる。
【００１１】
第３発明に係る床置き型空気調和機は、第１発明または第２発明の床置き型空気調和機であって、安全部は、パネルが閉じている状態では、ケーシングの外側であってパネルが開く方向から見て送風機と重ならない位置であって、パネルを開くときにできる安全部の開き軌道平面に対して垂直な方向から見たときに送風機と少なくとも一部が重なる位置に配置されている。
【００１２】
ここでは、安全部は、パネルが閉じている状態において、ケーシングの外側であってパネルが開く方向から見て送風機と重ならない位置に配置されている。このため、安全部は、パネルを開いた状態で生じる開きスペースのうち送風機とケーシング外部との間に登場させることができ、送風機周辺の少なくとも一部を覆うことができる。また、パネルが閉じている状態において、パネルを開くときにできる安全部の開き軌道平面に対して垂直な方向から見て、送風機と重なる位置に配置されている。このため、安全部は、パネルを開いた状態で生じる開きスペースのうちフィルタ収納部とケーシングとの間に登場させることができ、送風機へのアクセスをより確実に阻むことが可能になる。このため、パネルを開いた状態における安全性をより確実に確保することができるようになる。
【００１３】
第４発明に係る床置き型空気調和機は、第１発明から第３発明のいずれかの床置き型空気調和機であって、安全部は、パネルの開き方向とは略反対の方向に向けてフィルタ収納部から延びるようにして設けられており、パネルが開いてケーシングとの間にスペースが生じた状態で、スペースに位置する。
ここでは、安全部は、パネルの開き方向とは略反対の方向に向けてフィルタ収納部から延びるようにして設けられており、パネルを開いた状態で生じるスペースに位置する。このため、安全部は、パネルが開くことによって生じる開きスペースおいて、送風機へのアクセスをより効果的に阻むことができる場所に位置することができる。このため、パネルを開いた状態における安全性をより効果的に確保することができるようになる。
【００１４】
第５発明に係る床置き型空気調和機は、第１発明から第４発明のいずれかの床置き型空気調和機であって、ケーシングは、係止手段を有している。安全部は、ケーシングに対するパネルの開き度合いを規制するための、係止手段と係止する被係止手段を有している。ここでの係止手段や被係止手段としては、例えば、ケーシングが凸形状で安全部がそれに対応した凹形状となっていることで互いに係止する場合や、ケーシングが凹形状で安全部がそれに対応した凸形状となっていることで互いに係止する場合等が含まれる。
【００１５】
ここでは、ケーシングの有している係止手段と、安全部の有している被係止手段とが互いに係止することで、ケーシングに対するパネルの開き度合いを規制する。このため、安全部によって送風機へのアクセスを抑止する観点だけでなく、パネルがケーシングに対して過度に開いてしまうことを抑えることができることから、安全性をより確実にすることが可能になる。
【００１６】
第６発明に係る床置き型空気調和機は、第５発明の床置き型空気調和機であって、安全部の被係止手段は、少なくともパネルが開いたときにできる安全部の軌道に対応するように、安全部の厚み方向に貫通して設けられた長穴である。また、ケーシングの係止手段は、長穴に対して安全部の厚み方向に貫通させつつケーシングに固定される貫通材である。
ここでは、安全部の被係止手段は、安全部の厚み方向に貫通して設けられた長穴である。そして、ケーシングに固定される貫通材がこの長穴を貫通させるように設けられており、この長穴は、少なくともパネルの開閉時における安全部の軌道に対応可能となるように設けられている。このため、パネルが開くときには、パネルが貫通材によって開ききった状態において安全部の被係止手段とケーシングの係止手段とが係止する。このため、安全性を確実にしつつ、パネルの開閉操作性を向上させることができる。また、例えば、長穴がパネルの開閉時における安全部の軌道に対応して設けられている場合には、パネルは、開ききった状態において安全部の被係止手段とケーシングの係止手段とが係止するだけでなく、開く際に貫通材によってガイドされるようにして開くことができるようになる。
【００１７】
第７発明に係る床置き型空気調和機は、第６発明の床置き型空気調和機であって、貫通材は、座金を有する座金付き螺子である。また、座金の直径は、パネルが開いたときにできる安全部の開き軌道平面上であって、安全部の移動方向に対して略垂直な方向における長穴の幅よりも長い。ここでの座金付き螺子は、座金部分と螺子部分とが一体に形成されたものであってもよく、また、座金と螺子とが別々の部品となっているものであってもよい。
【００１８】
ここでは、座金付き螺子として、上記長穴の幅よりも長い直径の座金を有する座金付き螺子を用いている。このため、安全部の長穴近傍部分を、ケーシングのうち螺子が固定されている近傍部分と、座金との間に位置させることができるため、パネルの開閉安定性を向上させることができる。
第８発明に係る床置き型空気調和機は、第５発明から第７発明の床置き型空気調和機であって、安全部の被係止手段は、フィルタ収納部および安全部と一体に形成される。
【００１９】
ここでは、パネルについて、安全部がフィルタ収納部に対して一体形成されているだけでなく、これに加えてさらに安全部の被係止手段も一定に形成されている。これにより、部品点数をより削減させることが可能になる。
第９発明に係る床置き型空気調和機は、第１発明から第８発明の床置き型空気調和機であって、安全部は、パネルが閉じている状態では、送風機の外側であって、ケーシングの内側に位置する。
【００２０】
ここでは、パネルが閉じている状態において、安全部は、送風機の外側であってケーシングの内側に位置する。このため、パネルを閉じたときに、安全部をケーシングの側面と送風機との間に位置させることができる。このため、パネルを閉じたときに、安全部をケーシング内部に収納することが可能になる。
第１０発明に係る床置き型空気調和機は、第１発明から第９発明の床置き型空気調和機であって、パネルは、一端がヒンジになってケーシングに対して装着さられている。
【００２１】
ここでは、フィルタ収納部の一端がヒンジとなってケーシングに装着さられているため、ケーシングに対して回動させてパネルを開閉自在にすることが可能になる。
第１１発明に係る床置き型空気調和機は、第１０発明の床置き型空気調和機であって、安全部は、フィルタ収納部が開いた状態において、安全部の開き軌道平面に略垂直な方向から見た場合に、安全部とケーシングとが少なくとも一部においてパネルの開き方向に向けて連続するように設けられている。
【００２２】
ここでは、パネルが開いた状態であっても、パネルとケーシングとの少なくとも一部が安全部の開き軌道平面に略垂直な方向において重なって、安全部は、安全部の開き軌道平面に略垂直な方向から見た場合にパネルの開き方向に向けて一部が連続して見えるような位置に配置される。このため、パネルが開いた状態であっても、フィルタ収納部とケーシングとの間に生じる開きスペースのうち、当該連続して見える部分を通じた送風機へのアクセスを確実に阻むことができる。このため、パネルを開いた状態における安全性をより確実に確保することができるようになる。
【発明の効果】
【００２３】
第１発明に係る床置き型空気調和機では、安全性確保のための安全部をパネルと一体形成することで、安全性を確保しつつ部品点数を減らすことが可能になる。
第２発明に係る床置き型空気調和機では、ケーシングに対するパネルの開き幅が、安全部の開き方向の幅と同程度の場合において、送風機へのアクセスをより効果的に阻むことが可能になる。
【００２４】
第３発明に係る床置き型空気調和機では、パネルを開いた状態における安全性をより確実に確保することができるようになる。
第４発明に係る床置き型空気調和機では、パネルを開いた状態における安全性をより効果的に確保することができるようになる。
第５発明に係る床置き型空気調和機では、安全部によって送風機へのアクセスを抑止する観点だけでなく、パネルがケーシングに対して過度に開いてしまうことを抑えることができることから、安全性をより確実にすることが可能になる。
【００２５】
第６発明に係る床置き型空気調和機では、安全性を確実にしつつ、パネルの開閉操作性を向上させることができる。
第７発明に係る床置き型空気調和機では、安全部の長穴近傍部分を、ケーシングのうち螺子が固定されている近傍部分と、座金との間に位置させることができるため、パネルの開閉安定性を向上させることができる。
【００２６】
第８発明に係る床置き型空気調和機では、部品点数をより削減させることが可能になる。
第９発明に係る床置き型空気調和機では、パネルを閉じたときに、安全部をケーシング内部に収納することが可能になる。
第１０発明に係る床置き型空気調和機では、ケーシングに対して回動させてパネルを開閉自在にすることが可能になる。
【００２７】
第１１発明に係る床置き型空気調和機では、パネルを開いた状態における安全性をより確実に確保することができるようになる。
【発明を実施するための最良の形態】
【００２８】
本発明の第１実施形態に係る床置き型空気調和機１について、以下、図１〜１０を参照しつつ説明する。
［床置き型空気調和機の概略構成］
本発明の第１実施形態に係わる床置き型空気調和機１の外観の正面図を図１に示す。また、ファン３の近傍における概略構成を図２に、上面図を図３に、床置き型空気調和機１の下方の内部構成を示す断面図を図４に、側面図を図５に、床置き型空気調和機１の内部構成を示す側断面図を図６においてそれぞれ示す。以下、「上下方向」というときは、図１および図２の正面視における上下方向すなわち室内における高さ方向をいうものとし（実線矢印Ｄ２参照）、「左右方向」または「横方向」というときは、図１および図２の正面視における左右方向をいうものとする（実線矢印Ｄ１参照）。また、「前後方向」というときは、図３、図４等に示す実線矢印Ｄ３で示す方向をいうものとする。
【００２９】
この床置き型空気調和機１は、室内の床Ｆ上に配置され、主として、熱交換器２、ファン３、ケーシング４、前面下部パネル９等により構成されている。
〔熱交換器〕
熱交換器２は、ケーシング４の内部に収容されており、ケーシング４内に取り込まれた空気との間で熱交換を行う。熱交換器２は、図６に示すように、床置き型空気調和機１の上半分の位置を占め、吹出し部５と同じ高さに配置されている。また、熱交換器２は、床置き型空気調和機１の側面視における断面図（図１で示すＢ−Ｂ断面図）の図６に示すように、上方が床置き型空気調和機１の背面４１側へ傾斜するように設けられている。
【００３０】
〔ファン〕
ファン３は、図２において示すように、ケーシング４の内部に収容されている。ファン３は、図１において示すように、室内の空気を吸込み部６からエアフィルタ１１（図７および図８参照）を通過させつつケーシング４内に吸込んだ後、熱交換器２に通し、吹出し部５へと送る。ファン３は、床置き型空気調和機１の正面と平行な面内で回転するように配置されたシロッコファンであり、図６において示すように、熱交換器２の下方に設けられる。また、ファン３は、床置き型空気調和機１の上面視における断面図（図１で示すＡ−Ａ断面図）の図４に示すように、吸込み部６（後述する）の近傍であって、リブ収納ガイド４８、４９（後述する）の間に配置される。ファン３は、図２に示すように、ファンケーシング３０に収容されている。ファンケーシング３０は、ファン３の側面に沿ってファン３の円周の約４分の３を囲む円弧状の側面３２を有しており、ファン３の側面に対向するように配置されている。ファンケーシング３０は、ファン３の側面の左半分と右側の下半分を囲んでいる。また、ファンケーシング３０には、開口３３が設けられており、ファンローター３４が回転することにより、室内空気を床置き型空気調和機１の内部に取り込む。また、ファンケーシング３０には、ファンケーシング出口３１が設けられている。ファンケーシング出口３１は、ファン３から上方の熱交換器２へ向けて空気が出て行く部分であり、ファンケーシング３０に囲まれていないファン３の右側の上半分に面する位置に配置されている。ファンケーシング出口３１は、ファン３の回転中心から右方向に偏心して設けられる。なお、ファン３は、図２において左回りに回転して熱交換器２へと空気を送る（図２の白抜き矢印Ａ１および実線矢印Ａ２参照）。
【００３１】
〔ケーシング〕
ケーシング４は、熱交換器２やファン３等を収容する、上下方向Ｄ２に長い略直方体形状の部材である。ケーシング４は、図３に示すように、主に、本体ケーシング４０と、前面上部パネル４５と等から構成されている。
本体ケーシング４０は、図３および図４において示すように、背面４１と、左側面４２と、右側面４３と、リブ収納ガイド４８、４９とが一体となって構成されている。背面４１は、床置き型空気調和機１の背面側の上下方向全般を覆っている。左側面４２は、床置き型空気調和機１の、正面視左側面の背面側の上下方向全般を覆っている。右側面４３は、床置き型空気調和機１の、正面視右側面の背面側の上下方向全般を覆っている。リブ収納ガイド４９は、図４において示すように、正面視において背面４１の右端部近傍から手前側に向けて延びる板状部材であり、右側面４３と平行に設けられて、右側面４３との間においてリブ収納スペースＳを形成する。このリブ収納ガイド４９は、本体ケーシング４０の下端面から、前面下部パネル９と同等の高さまで延びて設けられている。また、リブ収納ガイド４９には、図４および図７において示すように、座金付き螺子４６で螺着される貫通部材４７が一体形成されている。この貫通部材４７は、図４および図７に示すように、前面下部パネル９の安全リブ部９７の長穴９８ｈ，９９ｈを左右方向Ｄ１（厚み方向）に貫通させつつ、座金付き螺子４６が螺着する。この座金付き螺子４６は、図９において示すように、螺子部４６ｂと座金部４６ａとによって構成されている。なお、座金部４６ａとしては、長穴９８ｈ、９９ｈの幅よりも長い直径を有するものを用いている。これにより、安全リブ部９７の長穴９８ｈ、９９ｈ近傍部分を、リブ収納ガイド４８，４９と座金部４６ａとの間に位置させることができる。このため、安全リブ部９７は、リブ収納ガイド４８，４９よりも内側に移動しないようになり、座金部４６ａよりも外側に移動しないようになり、前面下部パネル９の開閉安定性を向上させることができる。また、正面視左側のリブ収納ガイド４８も、リブ収納ガイド４９と同様であり、正面視において背面４１の左端部近傍に設けられ、リブ収納ガイド４９と同様の構成によって設けられている。
【００３２】
前面上部パネル４５は、図３に示すように、窪み部４４を有する形状となっている。また、前面上部パネル４５は、図１に示すように、吹出し部５、水平フラップ部７および垂直フラップ部８を備えている。床置き型空気調和機１は、水平フラップ部７および垂直フラップ部８によって、調和された空気の吹き出し方向を定めている。前面上部パネル４５は、ケーシング４の前面上部において、ケーシング４の上下方向Ｄ２の概ね全体に渡って設けられる平坦な部分である。また、前面上部パネル４５の上部には、表示部１５が設けられている。表示部１５は、室内温度、室外温度や運転の設定などの情報を表示する。また、窪み部４４は、前面上部パネル４５の側端に沿って設けられた上下方向Ｄ２に長い窪みであり、前面上部パネル４５の両側にそれぞれ設けられている。
【００３３】
〔前面下部パネル〕
前面下部パネル９は、フィルタ収納部９１と、安全リブ部９７とが一体形成されることで構成されている。
フィルタ収納部９１は、図４において示すように、主として、前面９２、窪み部９３、傾斜面９４、左側面部分９５、右側面部分９６等から構成されている。前面９２は、フィルタ収納部９１の前面において上下方向Ｄ２の概ね全体に渡って設けられている平坦な部分である。窪み部９３は、前面下部パネル９の前面９２の側端に沿って設けられた上下方向Ｄ２に長い窪みであり、前面下部パネル９の両側にそれぞれ設けられている。窪み部９３は、図４において示すように、側面９３０と曲面９３１とにより構成されている。側面９３０と曲面９３１との間には、後述する第１吸込み口６１および第２吸込み口６２が設けられており、ここから室内空気を床置き型空気調和機１内部に取り込むことができる。傾斜面９４は、窪み部９３の側方に隣接し前面の上下方向Ｄ２全体に渡って設けられた傾斜した面である。傾斜面９４は、前面下部パネル９の両側端部にそれぞれ設けられている。左側面部分９５は、図４において示すように、前面下部パネル９の正面視左側を構成しており、後述する側面吸込み口６６を備える。
【００３４】
また、左側面部分９５には、図８において示すように、エアフィルタ１１を収納位置に導くための、フィルタ収納ガイド９５ｇが設けられている。右側面部分９６は、左側面部分９５と同様であり、前面下部パネル９の正面視右側を構成しており、後述する側面吸込み口６７を備える。また、右側面部分９６にも、図８において示すように、エアフィルタ１１を収納位置に導くための、フィルタ収納ガイド９５ｇが設けられている。すなわち、エアフィルタ１１をフィルタ収納部９１に対して着脱する場合には、フィルタ収納部９１のフィルタ収納ガイド９５ｇとフィルタ収納ガイド９６ｇとが協働して、エアフィルタ１１をフィルタ収納部９１に対してスライドさせて収納位置まで導くことができる。また、前面下部パネル９は、ケーシング４の前面下端に対して装着されることで、ケーシング４に対して開閉自在となるようなヒンジを下端部分に形成する。すなわち前面下部パネル９は、ヒンジ部分を支点として開動され、外側に向けて開くことができるようになっている。また、この前面下部パネル９が開いた状態では、図７において示すように、前面下部パネル９とケーシング４との間に開きスペースＯＳが生じる。
【００３５】
安全リブ部９７は、図４において示すように、合成樹脂等によってフィルタ収納部９１と一体形成されている左安全リブ９８と、右安全リブ９９とから構成されている。
左安全リブ９８は、左側面部分９５から後方Ｄ３に延びている板状部材である。この左安全リブ９８には、後方に向かうにつれて左右方向Ｄ１の厚みが薄くなるように形成され、ケーシング４に対する前面下部パネル９の前後方向Ｄ３における開き幅の最大が、安全リブ部９７の前後方向Ｄ３の幅と同程度となるように形成されている。また、前面下部パネル９をケーシング４に対して開いた状態での右側面図を示す図７、エアフィルタ１１の着脱の様子を示す図８および安全リブ部９７の長穴拡大図を示す図９においてそれぞれ示すように、左安全リブ９８は、左側面視において、前面下部パネル９のヒンジ部分を支点とした略円弧形状の長穴９８ｈが形成されている。すなわち、前面下部パネル９の開閉時における座金付き螺子４６および貫通部材４７の通過軌道に沿うように、左安全リブ９８に長穴９８ｈが設けられている。この長穴９８ｈは、左安全リブ９８の厚み方向に貫通するようにして設けられている。上述したケーシング４の貫通部材４７は、図９において示すように、長穴９８ｈに対して厚み方向に貫通させることで、安全リブ部９７の稼働範囲を規制して、ケーシング４に対する前面下部パネル９の開度を制限する。また、貫通部材４７および座金付き螺子４６の断面図（図７で示すＣ−Ｃ断面図）の図１０において示すように、座金付き螺子４６が貫通部材４７に対して螺着されることによって、左安全リブ９８は、座金部４６ａとリブ収納ガイド４８との間に位置され、左右方向Ｄ１の動きが規制され、前面下部パネル９の開閉動作を安定化させている。また、前面下部パネル９が閉じている状態では、図４において示すように、左安全リブ９８は、上述したリブ収納スペースＳに収納される。
【００３６】
右安全リブ９９は、左安全リブ９８と同様であり、右側面部分９６から後方Ｄ３に延びている板状部材である。この右安全リブ９９にも、右側面視において、前面下部パネル９のヒンジ部分を支点とした略円弧形状の長穴９９ｈが形成されている。また、上述した貫通部材４７および座金付き螺子４６についても、左安全リブ９８と同様である。前面下部パネル９が閉じている状態では、図４において示すように、右安全リブ９９も、上述したリブ収納スペースＳに収納される。
【００３７】
なお、前面下部パネル９とケーシング４との係止機構については、後述する。
＜吹出し部＞
吹出し部５は、ケーシング４の前面上部パネル４５に設けられており、熱交換器２により熱交換された空気が吹き出す。吹出し部５は、第１吹出し口５１と第２吹出し口５２とにより構成されている。
【００３８】
第１吹出し口５１と第２吹出し口５２とは、前面上部パネル４５の両側端に沿って設けられた高さ方向Ｄ２に長い形状を有する長方形の開口である。第１吹出し口５１と第２吹出し口５２とは、前面上半分に設けられている。また、第１吹出し口５１と第２吹出し口５２とは、図１および図３に示すように、前面上部パネル４５と窪み部４４を隔てて、左側に第１吹出し口５１が設けられ、右側に第２吹出し口５２が設けられている。
【００３９】
なお、吹出し部５を構成する吹出し口は、第１吹出し口５１と第２吹出し口５２に限られず、２以上の横方向Ｄ１に距離を隔てて配置される吹出し口であってもよい。
＜吸込み部＞
吸込み部６は、室内の空気をケーシング４内へと吸込む部分であり、図１，内部構成を示す断面図である図４および外観側面図である図５において示すように、前面下部パネル９に設けられている。吸込み部６は、第１吸込み口６１、第２吸込み口６２および側面吸込み口６６，６７により構成される。
【００４０】
第１吸込み口６１と第２吸込み口６２とは、窪み部９３の側面９３０に設けられた開口であり、左側の窪み部９３に第１吸込み口６１が右側の窪み部９３に第２吸込み口６２が設けられている。第１吸込み口６１は、図６および図１に示すように、３つの開口６２ａ，６２ｂ、６２ｃにより構成されており、上下方向Ｄ２に並んで配置されている。
側面吸込み口６６，６７は、それぞれ床置き型空気調和機１の前面下部パネル９にそれぞれ設けられる、図５に示すような上下方向Ｄ２に長い開口である。側面吸込み口６６，６７は、図４に示すように、幅方向Ｄ３でいえばファン３と前面９２との間に位置している。なお、図５においては、正面視において右側の右側面部分９６に設けられている側面吸込み口６７を図示しているが、左側の左側面部分９５に設けられる側面吸込み口６６についても同様である。
【００４１】
なお、第１吸込み口、第２吸込み口および側面吸込み口６６，６７に対向して、ケーシング４の下方を覆うエアフィルタ１１が設けられている。
［ケーシングとパネルとの係止機構］
図７、図９および図１０では、ケーシング４の左側面視における係止機構を図示しているが、右側面側についても同様である。
【００４２】
前面下部パネル９が開いた状態では、図７において示すように、前面下部パネル９とケーシング４との間には、開きスペースＯＳが生じる。このように前面下部パネル９が開いた状態では、ケーシング４と前面下部パネル９による係止機構によって、上述した安全リブ部９７を開きスペースＯＳに位置させることができ、ケーシング４の外部からファン３へのアクセスを阻むことができるようになっている。
【００４３】
具体的には、このケーシング４と前面下部パネル９による係止機構では、図１０において示すように、前面下部パネル９が開ききった状態で、安全リブ部９７が開きスペースＯＳに位置し、貫通部材４７の外側一端部分と対応する長穴９８ｈ，９９ｈの端部とが前面下部パネル９の開閉方向ＤＯに係止され前面下部パネル９の開度を制限する。なお、安全リブ部９７に設けられる長穴９８ｈ，９９ｈは、図７において示すように、前面下部パネル９が開ききった状態で、安全リブ部９７とケーシング４の右側面４３とが、側面視において前後方向Ｄ３に向けて連続して見える部分ができるような配置となるように、長穴９８ｈ，９９ｈの長さ・形状は調整して形成されている。
【００４４】
なお、長穴９８ｈ，９９ｈは、前面下部パネル９の開度を規制するだけではなく、貫通部材４７を貫通している部分に沿わせることで、開閉のガイドとしての機能をも果たすことができる。なお、安全リブ部９７に設けられる長穴９８ｈ，９９ｈの位置は、安全リブ部９７のうちヒンジ部分に近い側に配置させるほど、長穴９８ｈ，９９ｈの開き方向の長さを短くすることができる。
【００４５】
［本実施形態における床置き型空気調和機の特徴］
（１）
従来のような床置き型空気調和機では、エアフィルタをメンテナンスする際にパネルを開いた状態での安全性を確保するために、ファンに対して接触防止用網を設けたり、パネルが開いた状態でのファンの運転を停止させるためのリミットスイッチを設けたりしている。このため、パネルとは別個の部品が必要となっている。したがって、各部品自体を製造するために要する部品製造コストやその所要時間、さらにそれらの部品同士を組み合わせるための製造装置や製造工程に要する組み立てコストやその所用時間が必要となり、生産性の向上に歯止めをかける一因となっている。また、上述した接触防止網やリミットスイッチ等を装着さる製造工程では、複雑な作業が必要となる場合もあり、生産性を向上させたり、生産効率を良好に維持することがよりいっそう困難になる。
【００４６】
これに対して、上述した床置き型空気調和機１では、エアフィルタ１１のメンテナンス等のために前面下部パネル９を開いた状態であっても、前面下部パネル９とケーシング４との間の開きスペースＳを通じたケーシング４の外部からファン３へのアクセスを、安全リブ部９７によって阻むことができる。このため、前面下部パネル９を開いてエアフィルタ１１をメンテナンスする際においても、メンテナンスする者の手等が回転中のファン３に接触してしまうという危険性を抑えることができ、安全性を確保することができる。また、この安全性確保のための安全リブ部９７は、エアフィルタ１１を収納しているフィルタ収納部９１と一体に形成されている。このため、安全性確保のために別途の部品を設けることが不要となり、部品点数を削減することができる。これより、安全性確保のための安全リブ部９７をフィルタ収納部９１と一体形成することで、安全性を確保しつつ部品点数を減らすことが可能となっている。
【００４７】
（２）
上述した床置き型空気調和機１では、安全リブ部９７は、前面下部パネル９を閉じた状態において、前後方向Ｄ３の幅よりも上下方向Ｄ２の幅のほうが長くなるような形状でフィルタ収納部９１と一体に形成されている。このため、ケーシング４に対する前面下部パネル９の開き幅が、安全リブ部９７の前後方向Ｄ３の幅と同程度となるように設けている場合において、開きスペースＳをより確実にカバーすることができる。このため、ファン３へのアクセスをより効果的に阻むことが可能になっている。
【００４８】
（３）
上述した床置き型空気調和機１では、ケーシング４のリブ収納ガイド４８，４９が有している貫通部材４７および座金付き螺子４６と、安全リブ部９７の有している長穴９８ｈ、９９ｈとが互いに係止することで、ケーシング４に対する前面下部パネル９の開き度合いを規制している。このため、前面下部パネル９が開いた状態において、安全リブ部９７がファン３へのアクセスを抑止するという観点だけでなく、前面下部パネル９がケーシング４に対して過度に開いてしまうことを抑えることができる。このため、安全性をより確実にすることが可能になっている。
【００４９】
なお、エアフィルタ１１を着脱するのに要する前面下部パネル９の開き幅と同程度の幅を安全リブ部９７が前後方向Ｄ３の幅として備えていれば、エアフィルタ１１の着脱作業を可能にすることと安全性の確保との両方を達成することができる。この場合には、安全リブ部９７は、前後方向Ｄ３の幅として、エアフィルタ１１の着脱に要する前面下部パネル９の開き幅と同程度の幅を備えていれば足り、安全リブ部９７が必要以上の大きさとなることを防ぐことが可能になっている。
【００５０】
（４）
また、安全リブ部９７は、前面下部パネル９フィルタ収納部９１のうち、正面視において両側端部近傍から後方Ｄ３に向けて延びており、前面下部パネル９が閉じている状態では、ケーシング４に設けられたリブ収納スペースＳに納まるようになっている。これにより、ケーシング４および前面下部パネル９の横方向Ｄ１の幅の拡大化を抑えて、床置き型空気調和機１を小型化させることができる。
【００５１】
（５）
また、安全リブ部９７の長穴９８ｈ，９９ｈは、前面下部パネル９が開ききった状態で、安全リブ部９７とケーシング４の右側面４３（左側面４２も同様）との少なくとも一部が、軌道平面に略垂直な方向において重なって、安全リブ部９７は、安全リブ部９７の開き軌道平面に略垂直な方向から見た場合に、前後方向Ｄ３に向けて一部が連続して見えるような位置に配置する。このため、前面下部パネル９が開ききった状態であっても、前面下部パネル９とケーシング４との間に生じる開きスペースＳのうち、上記重なり部分近傍においては、ファン３へのアクセスを確実に阻むことができる。
【００５２】
［他の実施形態］
以上、本発明の一実施形態について説明したが、本発明は上記実施形態に限定されるものではなく、発明の要旨を逸脱しない範囲で種々の変更が可能である。
（Ａ）
上記床置き型空気調和機１では、前面下部パネル９の開度を規制する係止機能の一例として、座金付き螺子４６および貫通部材４７と、これらの開閉時の軌道に沿うように安全リブ部９７に設けられた長穴９８ｈ，９９ｈとによる係止機構について例に挙げて説明した。
【００５３】
しかし、安全リブ部９７に設けられる長穴９８ｈ，９９ｈとしては、特にこれに限られるものではなく、例えば、座金部４６ａの外径や内径、螺子部４６ｂの大きさ（太さ）に応じて、前面下部パネル９の開閉動作をガイドすることができる形状であれば、特に開閉軌道に沿って設けられている必要はない。この場合であっても、上記実施形態と同様に前面下部パネル９の開度規制を十分に行うことができる。
【００５４】
なお、フィルタ収納部９１に対して安全リブ部９７を一体形成することで、フィルタ収納部９１と安全リブ部９７とが別々に形成されている従来のものと比較して、前面下部パネル９自体の強度や耐久性を向上させることができるようになり、故障や破損等が生じにくいようにすることができる。
（Ｂ）
上記床置き型空気調和機１では、ケーシング４と前面下部パネル９との係止機構として、ケーシング４のリブ収納ガイド４８，４９の貫通部材４７に対して螺着された座金付き螺子４６と、安全リブ部９７に形成された長穴９８ｈ，９９ｈとによる係止機構について例に挙げて説明した。
【００５５】
これに対して、ここでの係止機構としては、ケーシング４に対する前面下部パネル９の開度の規制が可能な機構であって、部品点数の増加を伴わない機構であれば、特に、上記実施形態における係止機構に限定されるものではない。
例えば、第１の例として、ケーシング４のリブ収納ガイド４８，４９において、開き軌道面に対して略垂直方向外側に向けて突出して形成される凸形状部を設けて、安全リブ部９７において、ケーシング４の凸形状部に対応した凹形状が前面下部パネル９の開き軌道に応じて延びるように形成されている略円弧状凹部を設けるようにしてもよい。この場合には、上記実施形態における安全性確保と部品点数削減の効果のみならず、エアフィルタ１１の交換時において、開閉部が外部から見えにくい構造にすることができ、意匠性を向上させることもできる。
【００５６】
また、第２の例として、安全リブ部９７において、開き軌道面に対して略垂直方向内側に向けて突出して形成される凸形状部を設けて、ケーシング４のリブ収納ガイド４８，４９において、安全リブ部９７の凸形状部に対応した凹形状が前面下部パネル９の開き軌道に応じて延びるように形成されている略円弧状凹部を設けるようにしてもよい。この場合についても、第１の例と同様の効果が得られる。
【００５７】
なお、上記第１の例および第２の例のいずれにおいても、安全リブ部９７は、フィルタ収納部９１に一体形成されてヒンジ近傍部分をひとつの頂点としている略三角形状のリブであってもよい。このような略三角形状のリブであっても、ケーシング４の外部から上記開きスペースＳを通じたファン３へのアクセスを阻むことができる。
また、例えば、図４において示すケーシング４の左側面４３や右側面４２に対して螺着され、安全リブ部９７の長穴９８ｈ，９９ｈと係止するような構造であってもよい。
【００５８】
さらに、貫通部材４７を設けることなく、リブ収納ガイド４８，４９、ケーシング４の左側面４３や右側面４２に対して、座金付き螺子４６を直接螺着することにより、上記実施形態と同様に前面下部パネル９の開度を規制するようにしてもよい。
（Ｃ）
上記床置き型空気調和機１では、図１〜６において示すように、全体が略直方体形状の床置き型空気調和機１を例に挙げて説明した。
【００５９】
しかし、床置き型空気調和機１の形状としては、このような直方体形状に限られるものではなく、円柱形状の床置き型空気調和機であってもよい。この場合には、例えば、下部パネルが下方において放射状に複数設けられているような構造であってもよい。この場合、室内空気を放射状に複数箇所から吸い込んで、調和された空気が上方のパネル部分から放射される構成とすることができる。この場合、各下部パネルは、放射状外側に向けて開いて、エアフィルタ１１の着脱を行うようにしてもよい。なお、各下部パネルについて、上記実施形態で説明した安全リブ部９７、貫通部材４７および座金付き螺子４６による係止機構と同様の機構を採用することができる。これにより、放射状に設けられる下部パネルについて、上記実施形態と同様の効果を得ることができる。
【００６０】
（Ｄ）
上記床置き型空気調和機１では、ファン３（シロッコファン）がケーシング４の下方に設けられている床置き型空気調和機１について例に挙げて説明した。
ここでの床置き型空気調和機１に設けられるファン３としては、特に種類を限定する必要はなく、例えば、ターボファンやクロスフローファン等であってもよい。
【００６１】
（Ｅ）
上記床置き型空気調和機１では、座金付き螺子４６は、図９において示すように、螺子部４６ｂと座金部４６ａとが一体となって構成されているものを採用している。
これに対して、座金と螺子部とが別々の座金付き螺子であってもよい。
【産業上の利用可能性】
【００６２】
本発明に係る床置き型空気調和機によれば、フィルタをメンテナンスする際の安全性を確保しつつ部品点数を減らすことが可能となるため、フィルタを介して調和前の空気を吸い込み、調和後の空気を排出する床置き型空気調和機への適用が特に有用である。
【図面の簡単な説明】
【００６３】
【図１】床置き型空気調和機の外観の正面図。
【図２】ファン３の近傍における概略構成を示す図。
【図３】床置き型空気調和機の外観上面図。
【図４】床置き型空気調和機の下方の内部構成を示す断面図。
【図５】床置き型空気調和機の外観側面図。
【図６】前面下部パネル閉状態における内部構成を示す側断面図。
【図７】前面下部パネル開状態における構成を示す側面図。
【図８】前面下部パネルからエアフィルタを着脱する様子を示す図。
【図９】前面下部パネルの開き係止機構を示す側面図。
【図１０】前面下部パネルの開き係止機構を示す断面図。
【図１１】従来の接触防止用網付き床置き型空気調和機の図。
【図１２】従来のリミットスイッチ付き床置き型空気調和機の図。
【符号の説明】
【００６４】
１    床置き型空気調和機
３    送風機（シロッコファン，ターボファン，クロスフローファン）
４      ケーシング
９      パネル（前面下部パネル）
１１      フィルタ
９１      フィルタ収納部
９７      安全部
４６      係止手段，座金付き螺子
４６ａ    座金，座金部
４７      係止手段，貫通材，貫通部材
９８ｈ，９９ｈ      被係止手段，長穴
ＯＳ      スペース（開きスペース）
【図１】
2006064216.tif 000003
【図２】
2006064216.tif 000004
【図３】
2006064216.tif 000005
【図４】
2006064216.tif 000006
【図５】
2006064216.tif 000007
【図６】
2006064216.tif 000008
【図７】
2006064216.tif 000009
【図８】
2006064216.tif 000010
【図９】
2006064216.tif 000011
【図１０】
2006064216.tif 000012
【図１１】
2006064216.tif 000013
【図１２】
2006064216.tif 000014
【手続補正書】
【提出日】平成17年12月1日(2005.12.1)
【手続補正１】
【補正対象書類名】特許請求の範囲
【補正対象項目名】全文
【補正方法】変更
【補正の内容】
【特許請求の範囲】
【請求項１】
フィルタ（１１）を介して調和前の空気を吸い込み、調和後の空気を排出する、床置き型空気調和機（１）であって、
送風機（３）と、
前記送風機（３）を内部に収容するケーシング（４）と、
前記ケーシング（４）に開閉自在に装着され、前記ケーシング（４）に対して外側に開く、パネル（９）と、
を備え、
前記パネル（９）は、前記フィルタ（１１）を収納するフィルタ収納部（９１）と、安全部（９７）と、閉じた状態で側面を覆う側面パネル（９５，９６）とを有しており、
前記フィルタ収納部（９１）は、前記パネル（９）が開くことにより前記フィルタ（１１）の着脱が可能になり、
前記安全部（９７）は、前記パネル（９）が開いて前記ケーシング（４）と前記側面パネル（９５，９６）との間にスペース（ＯＳ）が生じたときに、前記スペース（ＯＳ）を通じた前記ケーシング（４）の外部から前記送風機（３）へのアクセスを阻む、
床置き型空気調和機（１）。
【請求項２】
前記側面パネル（９５，９６）は、前記パネル（９）が閉じた状態において側面視で前記ケーシング（４）と重複しない位置に開口部（６６，６７）を有しており、
前記パネル（９）が閉じた状態で前記送風機（３）が駆動した場合に、前記フィルタ収納部（９１）および前記開口部（６６，６７）を通過する空気流れが形成される、
請求項１に記載の床置き型空気調和機（１）。
【請求項３】
前記安全部（９７）は、前記パネル（９）が開く方向である開き方向の幅よりも、前記フィルタ収納部（９１）の端部に略平行な方向の幅のほうが長い、
請求項１または２に記載の床置き型空気調和機（１）。
【請求項４】
前記安全部（９７）は、前記パネル（９）が閉じている状態では、前記ケーシング（４）の外側であって前記パネル（９）が開く方向から見て前記送風機（３）と重ならない位置であって、前記パネル（９）を開くときにできる前記安全部（９７）の開き軌道平面に対して垂直な方向から見て前記送風機（３）と少なくとも一部が重なる位置に配置されている、
請求項１から３のいずれかに記載の床置き型空気調和機（１）。
【請求項５】
前記安全部（９７）は、前記パネル（９）の開き方向とは略反対の方向に向けて前記フィルタ収納部（９１）から延びるようにして設けられており、前記パネル（９）が開いて前記ケーシング（４）との間にスペース（ＯＳ）が生じた状態で、前記スペース（ＯＳ）に位置する、
請求項１から４のいずれか１項に記載の床置き型空気調和機（１）。
【請求項６】
前記ケーシング（４）は、係止手段（４６，４７）を有しており、
前記安全部（９７）は、前記ケーシング（４）に対する前記パネル（９）の開き度合いを規制するための、前記係止手段（４６，４７）と係止する被係止手段（９８ｈ，９９ｈ）を有している、
請求項１から５のいずれか１項に記載の床置き型空気調和機（１）。
【請求項７】
前記安全部（９７）の被係止手段（９８ｈ、９９ｈ）は、少なくとも前記パネル（９）が開くときにできる前記安全部（９７）の軌道に対応するように、前記安全部（９７）の厚み方向に貫通して設けられた長穴（９８ｈ，９９ｈ）であって、
前記ケーシング（４）の係止手段（４６，４７）は、前記長穴（９８ｈ，９９ｈ）に対して前記安全部（９７）の厚み方向に貫通させつつ前記ケーシング（４）に固定される貫通材（４６，４７）である、
請求項６に記載の床置き型空気調和機（１）。
【請求項８】
前記貫通材（４６）は、座金（４６ａ）を有する座金付き螺子（４６）であって、
前記座金（４６ａ）の直径は、前記パネル（９）が開いたときにできる前記安全部（９７）の開き軌道平面上であって、前記安全部（９７）の移動方向に対して略垂直な方向における前記長穴（９８ｈ，９９ｈ）の幅よりも長い、
請求項７に記載の床置き型空気調和機（１）。
【請求項９】
前記安全部（９７）の被係止手段（９８ｈ，９９ｈ）は、前記フィルタ収納部（９１）、前記側面パネル（９５，９６）および前記安全部（９７）と一体に形成される、
請求項６から８のいずれか１項に記載の床置き型空気調和機（１）。
【請求項１０】
前記安全部（９７）は、前記パネル（９）が閉じている状態では、前記送風機（３）の外側であって、前記ケーシング（４）の内側に位置する、
請求項１から９のいずれか１項に記載の床置き型空気調和機（１）。
【請求項１１】
前記パネル（９）は、一端がヒンジになって前記ケーシング（４）に対して装着されている、
請求項１から１０のいずれか１項に記載の床置き型空気調和機（１）。
【請求項１２】
前記安全部（９７）は、前記パネル（９）が開いた状態において、前記安全部（９７）の開き軌道平面に略垂直な方向から見た場合に、前記安全部（９７）と前記ケーシング（４）とが少なくとも一部において前記パネル（９）の開き方向に向けて連続するように設けられている、
請求項１１に記載の床置き型空気調和機（１）。
【手続補正２】
【補正対象書類名】明細書
【補正対象項目名】全文
【補正方法】変更
【補正の内容】
【発明の詳細な説明】
【技術分野】
【０００１】
本発明は、床置き型空気調和機、特に、フィルタを介して調和前の空気を吸い込み、調和後の空気を排出する、床置き型空気調和機に関する。
【背景技術】
【０００２】
従来の床置き型空気調和機は、送風機によって室内空気を吸い込み、フィルタを介して埃等を低減させ、熱交換等により所定の温度に調整された調和空気を室内に送出している。ここで、フィルタは、空気調和機を駆動させるにつれて徐々に汚れていき目詰まりを起こすため、一般的に、各ユーザによる定期的なフィルタの清掃・交換が行われる。このようなフィルタの定期的な清掃作業等を簡単にするために、従来から、フィルタを着脱自在とした構造のパネルを有する空気調和機が考案されている。このような空気調和機では、フィルタを本体から取り外して清掃・交換することができる。例えば、以下の特許文献１、図１１および図１２において示すように、フィルタの収納が可能な吸い込みパネルが、床置き型空気調和機１００，２００本体の室内空気を吸い込む位置に配置されているものがある。この吸い込みパネル１９１，２９１は、下端部にヒンジを用いることで本体に装着され、本体の外側に向けて回動させることで開くことができるようになっている。このように、吸い込みパネル１９１，２９１が開いた状態で内部に収納されているフィルタ１１１，２１１を取り出して、各ユーザによるフィルタの清掃・交換が行われる。
【０００３】
ところで、このような床置き型空気調和機は、フィルタの近傍に送風機が設けられているために、何ら安全上の対策を取らなければ、吸い込みパネルを開いた状態において回転中の送風機へのアクセス可能性を残してしまう。すなわち、吸い込みパネルが開いた状態では、本体内部に配置されている送風機へのアクセス可能性が残ってしまうため、空調関係者と比べて空調機構造等の知識が乏しいユーザ等が、あやまって回転中の送風機に指や手等を接触させてしまうおそれがある。この点を改善するために、以下の特許文献１で示される床置き型空気調和機１００では、本願の図１１において示すように、送風機１０３自体に接触防止用網１９７を装着させることで、ユーザによるフィルタ１１１，２１１の着脱等が安全に行われるような構成が採用されている。また、図１２において示すように、床置き型空気調和機２００では、吸い込みパネル２９１の開きをセンシングできるリミットスイッチを設けることで、安全性を確保する構成を採用している。例えば、リミットスイッチ２９７は、図１２において示すように、床置き型空気調和機２００の本体側に設置されており、吸い込みパネル２９１が開いた状態を感知することができるようになっている。これにより、吸い込みパネル２９１が開いた状態においてリミットスイッチ２９７がこれを感知することで、本体内部の制御部（図示せず）に送風機２０３の回転を止める制御を行わせることができ、安全性を確保できるようになっている。
【０００４】
このように、従来の床置き型空気調和機１００，２００では、空気調和機本体に対して吸い込みパネル１９１，２９１が開いた状態での安全性確保の観点から、接触防止用網１９７、もしくは、リミットスイッチ２９７等が設けられている。
【特許文献１】特開２００１−１３７３２６号公報
【発明の開示】
【発明が解決しようとする課題】
【０００５】
しかし、上述した従来の床置き型空気調和機１００，２００では、接触防止用網１９７、もしくは、リミットスイッチ２９７等が、吸い込みパネル１９１，２９１とは別個に設けられている。このため、床置き型空気調和機１００，２００の製造において、吸い込みパネル１９１、２９１は別個の安全性確保のための部品が必要となっている。このため、安全性確保の各部品自体を製造するために要する部品製造コストやその所要時間、さらにそれらの部品同士を組み合わせるための製造装置や製造工程に要する組み立てコストやその所用時間が必要となる。
【０００６】
本発明は上述した点に鑑みてなされたものであり、本発明の課題は、フィルタをメンテナンスする際の安全性を確保しつつ、部品点数を減らすことのできる床置き型の空気調和機を提供することにある。
【課題を解決するための手段】
【０００７】
第１発明に係る床置き型空気調和機は、フィルタを介して調和前の空気を吸い込み、調和後の空気を排出する、床置き型空気調和機であって、送風機と、ケーシングと、パネルとを備えている。ケーシングは、内部に送風機を収容する。パネルは、ケーシングに対する開閉が自在となるように装着され、ケーシングに対して外側に向けて開く。また、パネルは、フィルタを収納するフィルタ収納部と、安全部と、閉じた状態で側面を覆う側面パネルとを有している。このうち、フィルタ収納部は、パネルが開くことによりフィルタの着脱が可能になる。安全部は、パネルが開いてケーシングと側面パネルとの間にスペースが生じたときに、スペースを通じたケーシングの外部から送風機へのアクセスを阻む。なお、ここでのパネルの開閉は、例えば、パネルの側端部がヒンジとなって開閉される場合や、パネル全体をケーシングに対して外側にスライドさせて開閉させる場合等が含まれる。
【０００８】
従来のような床置き型空気調和機では、フィルタのメンテナンス時においてパネルを開いた状態での安全性を確保するために、送風機に対して接触防止用網を設けたり、パネルが開いた状態での送風機の運転を停止させるためのリミットスイッチを設ける等、パネルとは別個の部品が必要となっている。他方で、接触防止用網やリミットスイッチ等を設けることによる安全性確保のための対策は不可欠である。
【０００９】
これに対して、第１発明の床置き型空気調和機では、フィルタのメンテナンス等のためにケーシングに対してパネルを開いた状態であっても、側面パネルとケーシングとの間のスペースを通じたケーシングの外部から送風機へのアクセスを、安全部によって阻むことができる。このため、パネルを開けた状態でフィルタのメンテナンスを行う場合であっても、メンテナンスする者の手等が回転中の送風機に接触してしまうという危険性を抑えることができ、安全性を確保することができる。また、この安全性確保のための安全部は、フィルタ収納部や側面パネルと共にパネルを構成しているため、パネルの開閉に伴って移動する。このため、安全性確保のために別途の部品を設けることが不要となり、部品点数を削減することができる。したがって、第１発明の床置き型空気調和機では、安全性確保のための安全部をフィルタ収納部と一体形成することで、安全性を確保しつつ部品点数を減らすことが可能になる。
【００１０】
第２発明に係る床置き型空気調和機は、第１発明の床置き型空気調和機であって、側面パネルは、パネルが閉じた状態において側面視でケーシングと重複しない位置に開口部を有している。パネルが閉じた状態で送風機が駆動した場合に、フィルタ収納部および開口部を通過する空気流れが形成される。
ここでは、側面吸込を可能にするために、ケーシングと側面パネルとは側面視において重複しない位置に開口部が設けられている。このため、側面吸込を可能とした構造においてパネルを開くと、ケーシングと側面パネルとの間のスペースは広がりがちになる。
【００１１】
これに対して、第２発明の床置き型空気調和機では、このように側面吸込を可能とした構造を採用した場合であっても、パネルを開いた状態では、ケーシングと側面パネルとの間に安全部が位置する。
これにより、フィルタ交換時における安全性を確保しつつ、前面だけでなく側面からの吸込・吹出が可能になる。
【００１２】
第３発明に係る床置き型空気調和機は、第１発明または第２発明の床置き型空気調和機であって、安全部は、パネルが開く方向である開き方向の幅よりも、フィルタ収納部の端部に略平行な方向の幅のほうが長くなるように形成されている。
ここでは、安全部は、パネルの開き方向の幅よりも、フィルタ収納部の端部に略平行な方向の幅のほうが長くなるように形成されている。このため、ケーシングに対する側面パネルの開きスペース幅が安全部の開き方向の幅と同程度の場合において、側面パネルとケーシングとの間に生じる開きスペースをより効果的にカバーできるようになる。このため、ケーシングに対する側面パネルの開きスペース幅が安全部の開き方向の幅と同程度の場合において、送風機へのアクセスをより効果的に阻むことが可能になる。なお、安全部が、フィルタを着脱するのに要する側面パネルの開きスペース幅と同程度の幅を、開き方向の幅として備えることにより、フィルタの着脱作業を可能にすることと安全性の確保との両方を達成することができる。例えば、安全部の開き方向の幅としては、フィルタを着脱するのに要する側面パネルの開きスペース幅と同程度の幅を備えていれば足りることになり、安全部が必要以上に大きくならないようにすることで、安全部をコンパクト化させることが可能となる。
【００１３】
第４発明に係る床置き型空気調和機は、第１発明から第３発明のいずれかの床置き型空気調和機であって、安全部は、パネルが閉じている状態では、ケーシングの外側であってパネルが開く方向から見て送風機と重ならない位置であって、パネルを開くときにできる安全部の開き軌道平面に対して垂直な方向から見たときに送風機と少なくとも一部が重なる位置に配置されている。
【００１４】
ここでは、安全部は、パネルが閉じている状態において、ケーシングの外側であってパネルが開く方向から見て送風機と重ならない位置に配置されている。このため、安全部は、パネルを開いた状態で生じる開きスペースのうち送風機とケーシング外部との間に登場させることができ、送風機周辺の少なくとも一部を覆うことができる。また、パネルが閉じている状態において、パネルを開くときにできる安全部の開き軌道平面に対して垂直な方向から見て、送風機と重なる位置に配置されている。このため、安全部は、パネルを開いた状態で生じる開きスペースのうち側面パネルとケーシングとの間に登場させることができ、送風機へのアクセスをより確実に阻むことが可能になる。このため、パネルを開いた状態における安全性をより確実に確保することができるようになる。
【００１５】
第５発明に係る床置き型空気調和機は、第１発明から第４発明のいずれかの床置き型空気調和機であって、安全部は、パネルの開き方向とは略反対の方向に向けてフィルタ収納部から延びるようにして設けられており、パネルが開いてケーシングとの間にスペースが生じた状態で、スペースに位置する。
ここでは、安全部は、パネルの開き方向とは略反対の方向に向けてフィルタ収納部から延びるようにして設けられており、パネルを開いた状態で生じるスペースに位置する。このため、安全部は、パネルが開くことによって生じる開きスペースにおいて、送風機へのアクセスをより効果的に阻むことができる場所に位置することができる。このため、パネルを開いた状態における安全性をより効果的に確保することができるようになる。
【００１６】
第６発明に係る床置き型空気調和機は、第１発明から第５発明のいずれかの床置き型空気調和機であって、ケーシングは、係止手段を有している。安全部は、ケーシングに対するパネルの開き度合いを規制するための、係止手段と係止する被係止手段を有している。ここでの係止手段や被係止手段としては、例えば、ケーシングが凸形状で安全部がそれに対応した凹形状となっていることで互いに係止する場合や、ケーシングが凹形状で安全部がそれに対応した凸形状となっていることで互いに係止する場合等が含まれる。
【００１７】
ここでは、ケーシングの有している係止手段と、安全部の有している被係止手段とが互いに係止することで、ケーシングに対するパネルの開き度合いを規制する。このため、安全部によって送風機へのアクセスを抑止する観点だけでなく、パネルがケーシングに対して過度に開いてしまうことを抑えることができることから、安全性をより確実にすることが可能になる。
【００１８】
第７発明に係る床置き型空気調和機は、第６発明の床置き型空気調和機であって、安全部の被係止手段は、少なくともパネルが開いたときにできる安全部の軌道に対応するように、安全部の厚み方向に貫通して設けられた長穴である。また、ケーシングの係止手段は、長穴に対して安全部の厚み方向に貫通させつつケーシングに固定される貫通材である。
ここでは、安全部の被係止手段は、安全部の厚み方向に貫通して設けられた長穴である。そして、ケーシングに固定される貫通材がこの長穴を貫通させるように設けられており、この長穴は、少なくともパネルの開閉時における安全部の軌道に対応可能となるように設けられている。このため、パネルが開くときには、パネルが貫通材によって開ききった状態において安全部の被係止手段とケーシングの係止手段とが係止する。このため、安全性を確実にしつつ、パネルの開閉操作性を向上させることができる。また、例えば、長穴がパネルの開閉時における安全部の軌道に対応して設けられている場合には、パネルは、開ききった状態において安全部の被係止手段とケーシングの係止手段とが係止するだけでなく、開く際に貫通材によってガイドされるようにして開くことができるようになる。
【００１９】
第８発明に係る床置き型空気調和機は、第７発明の床置き型空気調和機であって、貫通材は、座金を有する座金付き螺子である。また、座金の直径は、パネルが開いたときにできる安全部の開き軌道平面上であって、安全部の移動方向に対して略垂直な方向における長穴の幅よりも長い。ここでの座金付き螺子は、座金部分と螺子部分とが一体に形成されたものであってもよく、また、座金と螺子とが別々の部品となっているものであってもよい。
ここでは、座金付き螺子として、上記長穴の幅よりも長い直径の座金を有する座金付き螺子を用いている。このため、安全部の長穴近傍部分を、ケーシングのうち螺子が固定されている近傍部分と、座金との間に位置させることができるため、パネルの開閉安定性を向上させることができる。
【００２０】
第９発明に係る床置き型空気調和機は、第６発明から第８発明の床置き型空気調和機であって、安全部の被係止手段は、フィルタ収納部、側面パネルおよび安全部と一体に形成される。
ここでは、パネルについて、安全部がフィルタ収納部および側面パネルに対して一体形成されているだけでなく、これに加えてさらに安全部の被係止手段も一定に形成されている。これにより、部品点数をより削減させることが可能になる。
【００２１】
第１０発明に係る床置き型空気調和機は、第１発明から第９発明の床置き型空気調和機であって、安全部は、パネルが閉じている状態では、送風機の外側であって、ケーシングの内側に位置する。
ここでは、パネルが閉じている状態において、安全部は、送風機の外側であってケーシングの内側に位置する。このため、パネルを閉じたときに、安全部をケーシングの側面と送風機との間に位置させることができる。このため、パネルを閉じたときに、安全部をケーシング内部に収納することが可能になる。
【００２２】
第１１発明に係る床置き型空気調和機は、第１発明から第１０発明の床置き型空気調和機であって、パネルは、一端がヒンジになってケーシングに対して装着さられている。
ここでは、フィルタ収納部の一端がヒンジとなってケーシングに装着さられているため、ケーシングに対して回動させてパネルを開閉自在にすることが可能になる。
【００２３】
第１２発明に係る床置き型空気調和機は、第１１発明の床置き型空気調和機であって、安全部は、フィルタ収納部が開いた状態において、安全部の開き軌道平面に略垂直な方向から見た場合に、安全部とケーシングとが少なくとも一部においてパネルの開き方向に向けて連続するように設けられている。
【００２４】
ここでは、パネルが開いた状態であっても、パネルとケーシングとの少なくとも一部が安全部の開き軌道平面に略垂直な方向において重なって、安全部は、安全部の開き軌道平面に略垂直な方向から見た場合にパネルの開き方向に向けて一部が連続して見えるような位置に配置される。このため、パネルが開いた状態であっても、側面パネルとケーシングとの間に生じる開きスペースのうち、当該連続して見える部分を通じた送風機へのアクセスを確実に阻むことができる。このため、パネルを開いた状態における安全性をより確実に確保することができるようになる。
【発明の効果】
【００２５】
第１発明に係る床置き型空気調和機では、安全性確保のための安全部をパネルと一体形成することで、安全性を確保しつつ部品点数を減らすことが可能になる。
第２発明に係る床置き型空気調和機では、フィルタ交換時における安全性を確保しつつ、前面だけでなく側面からの吸込・吹出が可能になる。
第３発明に係る床置き型空気調和機では、ケーシングに対するパネルの開き幅が、安全部の開き方向の幅と同程度の場合において、送風機へのアクセスをより効果的に阻むことが可能になる。
【００２６】
第４発明に係る床置き型空気調和機では、パネルを開いた状態における安全性をより確実に確保することができるようになる。
第５発明に係る床置き型空気調和機では、パネルを開いた状態における安全性をより効果的に確保することができるようになる。
第６発明に係る床置き型空気調和機では、安全部によって送風機へのアクセスを抑止する観点だけでなく、パネルがケーシングに対して過度に開いてしまうことを抑えることができることから、安全性をより確実にすることが可能になる。
【００２７】
第７発明に係る床置き型空気調和機では、安全性を確実にしつつ、パネルの開閉操作性を向上させることができる。
第８発明に係る床置き型空気調和機では、安全部の長穴近傍部分を、ケーシングのうち螺子が固定されている近傍部分と、座金との間に位置させることができるため、パネルの開閉安定性を向上させることができる。
【００２８】
第９発明に係る床置き型空気調和機では、部品点数をより削減させることが可能になる。
第１０発明に係る床置き型空気調和機では、パネルを閉じたときに、安全部をケーシング内部に収納することが可能になる。
第１１発明に係る床置き型空気調和機では、ケーシングに対して回動させてパネルを開閉自在にすることが可能になる。
【００２９】
第１２発明に係る床置き型空気調和機では、パネルを開いた状態における安全性をより確実に確保することができるようになる。
【発明を実施するための最良の形態】
【００３０】
本発明の第１実施形態に係る床置き型空気調和機１について、以下、図１〜１０を参照しつつ説明する。
［床置き型空気調和機の概略構成］
本発明の第１実施形態に係わる床置き型空気調和機１の外観の正面図を図１に示す。また、ファン３の近傍における概略構成を図２に、上面図を図３に、床置き型空気調和機１の下方の内部構成を示す断面図を図４に、側面図を図５に、床置き型空気調和機１の内部構成を示す側断面図を図６においてそれぞれ示す。以下、「上下方向」というときは、図１および図２の正面視における上下方向すなわち室内における高さ方向をいうものとし（実線矢印Ｄ２参照）、「左右方向」または「横方向」というときは、図１および図２の正面視における左右方向をいうものとする（実線矢印Ｄ１参照）。また、「前後方向」というときは、図３、図４等に示す実線矢印Ｄ３で示す方向をいうものとする。
【００３１】
この床置き型空気調和機１は、室内の床Ｆ上に配置され、主として、熱交換器２、ファン３、ケーシング４、前面下部パネル９等により構成されている。
〔熱交換器〕
熱交換器２は、ケーシング４の内部に収容されており、ケーシング４内に取り込まれた空気との間で熱交換を行う。熱交換器２は、図６に示すように、床置き型空気調和機１の上半分の位置を占め、吹出し部５と同じ高さに配置されている。また、熱交換器２は、床置き型空気調和機１の側面視における断面図（図１で示すＢ−Ｂ断面図）の図６に示すように、上方が床置き型空気調和機１の背面４１側へ傾斜するように設けられている。
【００３２】
〔ファン〕
ファン３は、図２において示すように、ケーシング４の内部に収容されている。ファン３は、図１において示すように、室内の空気を吸込み部６からエアフィルタ１１（図７および図８参照）を通過させつつケーシング４内に吸込んだ後、熱交換器２に通し、吹出し部５へと送る。ファン３は、床置き型空気調和機１の正面と平行な面内で回転するように配置されたシロッコファンであり、図６において示すように、熱交換器２の下方に設けられる。また、ファン３は、床置き型空気調和機１の上面視における断面図（図１で示すＡ−Ａ断面図）の図４に示すように、吸込み部６（後述する）の近傍であって、リブ収納ガイド４８、４９（後述する）の間に配置される。ファン３は、図２に示すように、ファンケーシング３０に収容されている。ファンケーシング３０は、ファン３の側面に沿ってファン３の円周の約４分の３を囲む円弧状の側面３２を有しており、ファン３の側面に対向するように配置されている。ファンケーシング３０は、ファン３の側面の左半分と右側の下半分を囲んでいる。また、ファンケーシング３０には、開口３３が設けられており、ファンローター３４が回転することにより、室内空気を床置き型空気調和機１の内部に取り込む。また、ファンケーシング３０には、ファンケーシング出口３１が設けられている。ファンケーシング出口３１は、ファン３から上方の熱交換器２へ向けて空気が出て行く部分であり、ファンケーシング３０に囲まれていないファン３の右側の上半分に面する位置に配置されている。ファンケーシング出口３１は、ファン３の回転中心から右方向に偏心して設けられる。なお、ファン３は、図２において左回りに回転して熱交換器２へと空気を送る（図２の白抜き矢印Ａ１および実線矢印Ａ２参照）。
【００３３】
〔ケーシング〕
ケーシング４は、熱交換器２やファン３等を収容する、上下方向Ｄ２に長い略直方体形状の部材である。ケーシング４は、図３に示すように、主に、本体ケーシング４０と、前面上部パネル４５と等から構成されている。
本体ケーシング４０は、図３および図４において示すように、背面４１と、左側面４２と、右側面４３と、リブ収納ガイド４８、４９とが一体となって構成されている。背面４１は、床置き型空気調和機１の背面側の上下方向全般を覆っている。左側面４２は、床置き型空気調和機１の、正面視左側面の背面側の上下方向全般を覆っている。右側面４３は、床置き型空気調和機１の、正面視右側面の背面側の上下方向全般を覆っている。リブ収納ガイド４９は、図４において示すように、正面視において背面４１の右端部近傍から手前側に向けて延びる板状部材であり、右側面４３と平行に設けられて、右側面４３との間においてリブ収納スペースＳを形成する。このリブ収納ガイド４９は、本体ケーシング４０の下端面から、前面下部パネル９と同等の高さまで延びて設けられている。また、リブ収納ガイド４９には、図４および図７において示すように、座金付き螺子４６で螺着される貫通部材４７が一体形成されている。この貫通部材４７は、図４および図７に示すように、前面下部パネル９の安全リブ部９７の長穴９８ｈ，９９ｈを左右方向Ｄ１（厚み方向）に貫通させつつ、座金付き螺子４６が螺着する。この座金付き螺子４６は、図９において示すように、螺子部４６ｂと座金部４６ａとによって構成されている。なお、座金部４６ａとしては、長穴９８ｈ、９９ｈの幅よりも長い直径を有するものを用いている。これにより、安全リブ部９７の長穴９８ｈ、９９ｈ近傍部分を、リブ収納ガイド４８，４９と座金部４６ａとの間に位置させることができる。このため、安全リブ部９７は、リブ収納ガイド４８，４９よりも内側に移動しないようになり、座金部４６ａよりも外側に移動しないようになり、前面下部パネル９の開閉安定性を向上させることができる。また、正面視左側のリブ収納ガイド４８も、リブ収納ガイド４９と同様であり、正面視において背面４１の左端部近傍に設けられ、リブ収納ガイド４９と同様の構成によって設けられている。
【００３４】
前面上部パネル４５は、図３に示すように、窪み部４４を有する形状となっている。また、前面上部パネル４５は、図１に示すように、吹出し部５、水平フラップ部７および垂直フラップ部８を備えている。床置き型空気調和機１は、水平フラップ部７および垂直フラップ部８によって、調和された空気の吹き出し方向を定めている。前面上部パネル４５は、ケーシング４の前面上部において、ケーシング４の上下方向Ｄ２の概ね全体に渡って設けられる平坦な部分である。また、前面上部パネル４５の上部には、表示部１５が設けられている。表示部１５は、室内温度、室外温度や運転の設定などの情報を表示する。また、窪み部４４は、前面上部パネル４５の側端に沿って設けられた上下方向Ｄ２に長い窪みであり、前面上部パネル４５の両側にそれぞれ設けられている。
【００３５】
〔前面下部パネル〕
前面下部パネル９は、フィルタ収納部９１、左側面部分９５、右側面部分９６および安全リブ部９７が一体形成されることで構成されている。
フィルタ収納部９１は、図４において示すように、主として、前面９２、窪み部９３、傾斜面９４等から構成されている。前面９２は、フィルタ収納部９１の前面において上下方向Ｄ２の概ね全体に渡って設けられている平坦な部分である。窪み部９３は、前面下部パネル９の前面９２の側端に沿って設けられた上下方向Ｄ２に長い窪みであり、前面下部パネル９の両側にそれぞれ設けられている。窪み部９３は、図４において示すように、側面９３０と曲面９３１とにより構成されている。側面９３０と曲面９３１との間には、後述する第１吸込み口６１および第２吸込み口６２が設けられており、ここから室内空気を床置き型空気調和機１内部に取り込むことができる。傾斜面９４は、窪み部９３の側方に隣接し前面の上下方向Ｄ２全体に渡って設けられた傾斜した面である。傾斜面９４は、前面下部パネル９の両側端部にそれぞれ設けられている。
【００３６】
左側面部分９５は、図４において示すように、前面下部パネル９の正面視左側を構成しており、後述する側面吸込み口６６を備える。また、左側面部分９５には、図８において示すように、エアフィルタ１１を収納位置に導くための、フィルタ収納ガイド９５ｇが設けられている。
右側面部分９６は、左側面部分９５と同様であり、前面下部パネル９の正面視右側を構成しており、後述する側面吸込み口６７を備える。また、右側面部分９６にも、図８において示すように、エアフィルタ１１を収納位置に導くための、フィルタ収納ガイド９６ｇが設けられている。すなわち、エアフィルタ１１をフィルタ収納部９１に対して着脱する場合には、フィルタ収納部９１のフィルタ収納ガイド９５ｇとフィルタ収納ガイド９６ｇとが協働して、エアフィルタ１１をフィルタ収納部９１に対してスライドさせて収納位置まで導くことができる。また、前面下部パネル９は、ケーシング４の前面下端に対して装着されることで、ケーシング４に対して開閉自在となるようなヒンジを下端部分に形成する。すなわち前面下部パネル９は、ヒンジ部分を支点として開動され、外側に向けて開くことができるようになっている。また、この前面下部パネル９が開いた状態では、図７において示すように、前面下部パネル９とケーシング４との間に開きスペースＯＳが生じる。
【００３７】
安全リブ部９７は、図４において示すように、合成樹脂等によってフィルタ収納部９１と一体形成されている左安全リブ９８と、右安全リブ９９とから構成されている。
左安全リブ９８は、左側面部分９５から後方Ｄ３に延びている板状部材である。この左安全リブ９８には、後方に向かうにつれて左右方向Ｄ１の厚みが薄くなるように形成され、ケーシング４に対する前面下部パネル９の前後方向Ｄ３における開き幅の最大が、安全リブ部９７の前後方向Ｄ３の幅と同程度となるように形成されている。また、前面下部パネル９をケーシング４に対して開いた状態での右側面図を示す図７、エアフィルタ１１の着脱の様子を示す図８および安全リブ部９７の長穴拡大図を示す図９においてそれぞれ示すように、左安全リブ９８は、左側面視において、前面下部パネル９のヒンジ部分を支点とした略円弧形状の長穴９８ｈが形成されている。すなわち、前面下部パネル９の開閉時における座金付き螺子４６および貫通部材４７の通過軌道に沿うように、左安全リブ９８に長穴９８ｈが設けられている。この長穴９８ｈは、左安全リブ９８の厚み方向に貫通するようにして設けられている。上述したケーシング４の貫通部材４７は、図９において示すように、長穴９８ｈに対して厚み方向に貫通させることで、安全リブ部９７の稼働範囲を規制して、ケーシング４に対する前面下部パネル９の開度を制限する。また、貫通部材４７および座金付き螺子４６の断面図（図７で示すＣ−Ｃ断面図）の図１０において示すように、座金付き螺子４６が貫通部材４７に対して螺着されることによって、左安全リブ９８は、座金部４６ａとリブ収納ガイド４８との間に位置され、左右方向Ｄ１の動きが規制され、前面下部パネル９の開閉動作を安定化させている。また、前面下部パネル９が閉じている状態では、図４において示すように、左安全リブ９８は、上述したリブ収納スペースＳに収納される。
【００３８】
右安全リブ９９は、左安全リブ９８と同様であり、右側面部分９６から後方Ｄ３に延びている板状部材である。この右安全リブ９９にも、右側面視において、前面下部パネル９のヒンジ部分を支点とした略円弧形状の長穴９９ｈが形成されている。また、上述した貫通部材４７および座金付き螺子４６についても、左安全リブ９８と同様である。前面下部パネル９が閉じている状態では、図４において示すように、右安全リブ９９も、上述したリブ収納スペースＳに収納される。
なお、前面下部パネル９とケーシング４との係止機構については、後述する。
【００３９】
＜吹出し部＞
吹出し部５は、ケーシング４の前面上部パネル４５に設けられており、熱交換器２により熱交換された空気が吹き出す。吹出し部５は、第１吹出し口５１と第２吹出し口５２とにより構成されている。
【００４０】
第１吹出し口５１と第２吹出し口５２とは、前面上部パネル４５の両側端に沿って設けられた高さ方向Ｄ２に長い形状を有する長方形の開口である。第１吹出し口５１と第２吹出し口５２とは、前面上半分に設けられている。また、第１吹出し口５１と第２吹出し口５２とは、図１および図３に示すように、前面上部パネル４５と窪み部４４を隔てて、左側に第１吹出し口５１が設けられ、右側に第２吹出し口５２が設けられている。
なお、吹出し部５を構成する吹出し口は、第１吹出し口５１と第２吹出し口５２に限られず、２以上の横方向Ｄ１に距離を隔てて配置される吹出し口であってもよい。
【００４１】
＜吸込み部＞
吸込み部６は、室内の空気をケーシング４内へと吸込む部分であり、図１，内部構成を示す断面図である図４および外観側面図である図５において示すように、前面下部パネル９に設けられている。吸込み部６は、第１吸込み口６１、第２吸込み口６２および側面吸込み口６６，６７により構成される。
【００４２】
第１吸込み口６１と第２吸込み口６２とは、窪み部９３の側面９３０に設けられた開口であり、左側の窪み部９３に第１吸込み口６１が右側の窪み部９３に第２吸込み口６２が設けられている。第１吸込み口６１は、図６および図１に示すように、３つの開口６２ａ，６２ｂ、６２ｃにより構成されており、上下方向Ｄ２に並んで配置されている。
側面吸込み口６６，６７は、それぞれ床置き型空気調和機１の前面下部パネル９にそれぞれ設けられる、図５に示すような上下方向Ｄ２に長い開口である。側面吸込み口６６，６７は、図４に示すように、幅方向Ｄ３でいえばファン３と前面９２との間に位置している。なお、図５においては、正面視において右側の右側面部分９６に設けられている側面吸込み口６７を図示しているが、左側の左側面部分９５に設けられる側面吸込み口６６についても同様である。
なお、第１吸込み口、第２吸込み口および側面吸込み口６６，６７に対向して、ケーシング４の下方を覆うエアフィルタ１１が設けられている。
【００４３】
［ケーシングとパネルとの係止機構］
図７、図９および図１０では、ケーシング４の左側面視における係止機構を図示しているが、右側面側についても同様である。
【００４４】
前面下部パネル９が開いた状態では、図７において示すように、前面下部パネル９とケーシング４との間には、開きスペースＯＳが生じる。このように前面下部パネル９が開いた状態では、ケーシング４と前面下部パネル９による係止機構によって、上述した安全リブ部９７を開きスペースＯＳに位置させることができ、ケーシング４の外部からファン３へのアクセスを阻むことができるようになっている。
【００４５】
具体的には、このケーシング４と前面下部パネル９による係止機構では、図１０において示すように、前面下部パネル９が開ききった状態で、安全リブ部９７が開きスペースＯＳに位置し、貫通部材４７の外側一端部分と対応する長穴９８ｈ，９９ｈの端部とが前面下部パネル９の開閉方向ＤＯに係止され前面下部パネル９の開度を制限する。なお、安全リブ部９７に設けられる長穴９８ｈ，９９ｈは、図７において示すように、前面下部パネル９が開ききった状態で、安全リブ部９７とケーシング４の右側面４３とが、側面視において前後方向Ｄ３に向けて連続して見える部分ができるような配置となるように、長穴９８ｈ，９９ｈの長さ・形状は調整して形成されている。
【００４６】
なお、長穴９８ｈ，９９ｈは、前面下部パネル９の開度を規制するだけではなく、貫通部材４７を貫通している部分に沿わせることで、開閉のガイドとしての機能をも果たすことができる。なお、安全リブ部９７に設けられる長穴９８ｈ，９９ｈの位置は、安全リブ部９７のうちヒンジ部分に近い側に配置させるほど、長穴９８ｈ，９９ｈの開き方向の長さを短くすることができる。
【００４７】
［本実施形態における床置き型空気調和機の特徴］
（１）
従来のような床置き型空気調和機では、エアフィルタをメンテナンスする際にパネルを開いた状態での安全性を確保するために、ファンに対して接触防止用網を設けたり、パネルが開いた状態でのファンの運転を停止させるためのリミットスイッチを設けたりしている。このため、パネルとは別個の部品が必要となっている。したがって、各部品自体を製造するために要する部品製造コストやその所要時間、さらにそれらの部品同士を組み合わせるための製造装置や製造工程に要する組み立てコストやその所用時間が必要となり、生産性の向上に歯止めをかける一因となっている。また、上述した接触防止網やリミットスイッチ等を装着さる製造工程では、複雑な作業が必要となる場合もあり、生産性を向上させたり、生産効率を良好に維持することがよりいっそう困難になる。
【００４８】
これに対して、上述した床置き型空気調和機１では、エアフィルタ１１のメンテナンス等のために前面下部パネル９を開いた状態であっても、前面下部パネル９とケーシング４との間の開きスペースＳを通じたケーシング４の外部からファン３へのアクセスを、安全リブ部９７によって阻むことができる。このため、前面下部パネル９を開いてエアフィルタ１１をメンテナンスする際においても、メンテナンスする者の手等が回転中のファン３に接触してしまうという危険性を抑えることができ、安全性を確保することができる。また、この安全性確保のための安全リブ部９７は、エアフィルタ１１を収納しているフィルタ収納部９１と一体に形成されている。このため、安全性確保のために別途の部品を設けることが不要となり、部品点数を削減することができる。これより、安全性確保のための安全リブ部９７をフィルタ収納部９１と一体形成することで、安全性を確保しつつ部品点数を減らすことが可能となっている。
【００４９】
（２）
上述した床置き型空気調和機１では、安全リブ部９７は、前面下部パネル９を閉じた状態において、前後方向Ｄ３の幅よりも上下方向Ｄ２の幅のほうが長くなるような形状でフィルタ収納部９１と一体に形成されている。このため、ケーシング４に対する前面下部パネル９の開き幅が、安全リブ部９７の前後方向Ｄ３の幅と同程度となるように設けている場合において、開きスペースＳをより確実にカバーすることができる。このため、ファン３へのアクセスをより効果的に阻むことが可能になっている。
【００５０】
（３）
上述した床置き型空気調和機１では、ケーシング４のリブ収納ガイド４８，４９が有している貫通部材４７および座金付き螺子４６と、安全リブ部９７の有している長穴９８ｈ、９９ｈとが互いに係止することで、ケーシング４に対する前面下部パネル９の開き度合いを規制している。このため、前面下部パネル９が開いた状態において、安全リブ部９７がファン３へのアクセスを抑止するという観点だけでなく、前面下部パネル９がケーシング４に対して過度に開いてしまうことを抑えることができる。このため、安全性をより確実にすることが可能になっている。
【００５１】
なお、エアフィルタ１１を着脱するのに要する前面下部パネル９の開き幅と同程度の幅を安全リブ部９７が前後方向Ｄ３の幅として備えていれば、エアフィルタ１１の着脱作業を可能にすることと安全性の確保との両方を達成することができる。この場合には、安全リブ部９７は、前後方向Ｄ３の幅として、エアフィルタ１１の着脱に要する前面下部パネル９の開き幅と同程度の幅を備えていれば足り、安全リブ部９７が必要以上の大きさとなることを防ぐことが可能になっている。
【００５２】
（４）
また、安全リブ部９７は、前面下部パネル９フィルタ収納部９１のうち、正面視において両側端部近傍から後方Ｄ３に向けて延びており、前面下部パネル９が閉じている状態では、ケーシング４に設けられたリブ収納スペースＳに納まるようになっている。これにより、ケーシング４および前面下部パネル９の横方向Ｄ１の幅の拡大化を抑えて、床置き型空気調和機１を小型化させることができる。
【００５３】
（５）
また、安全リブ部９７の長穴９８ｈ，９９ｈは、前面下部パネル９が開ききった状態で、安全リブ部９７とケーシング４の右側面４３（左側面４２も同様）との少なくとも一部が、軌道平面に略垂直な方向において重なって、安全リブ部９７は、安全リブ部９７の開き軌道平面に略垂直な方向から見た場合に、前後方向Ｄ３に向けて一部が連続して見えるような位置に配置する。このため、前面下部パネル９が開ききった状態であっても、前面下部パネル９とケーシング４との間に生じる開きスペースＳのうち、上記重なり部分近傍においては、ファン３へのアクセスを確実に阻むことができる。
【００５４】
［他の実施形態］
以上、本発明の一実施形態について説明したが、本発明は上記実施形態に限定されるものではなく、発明の要旨を逸脱しない範囲で種々の変更が可能である。
（Ａ）
上記床置き型空気調和機１では、前面下部パネル９の開度を規制する係止機能の一例として、座金付き螺子４６および貫通部材４７と、これらの開閉時の軌道に沿うように安全リブ部９７に設けられた長穴９８ｈ，９９ｈとによる係止機構について例に挙げて説明した。
【００５５】
しかし、安全リブ部９７に設けられる長穴９８ｈ，９９ｈとしては、特にこれに限られるものではなく、例えば、座金部４６ａの外径や内径、螺子部４６ｂの大きさ（太さ）に応じて、前面下部パネル９の開閉動作をガイドすることができる形状であれば、特に開閉軌道に沿って設けられている必要はない。この場合であっても、上記実施形態と同様に前面下部パネル９の開度規制を十分に行うことができる。
【００５６】
なお、フィルタ収納部９１に対して安全リブ部９７を一体形成することで、フィルタ収納部９１と安全リブ部９７とが別々に形成されている従来のものと比較して、前面下部パネル９自体の強度や耐久性を向上させることができるようになり、故障や破損等が生じにくいようにすることができる。
（Ｂ）
上記床置き型空気調和機１では、ケーシング４と前面下部パネル９との係止機構として、ケーシング４のリブ収納ガイド４８，４９の貫通部材４７に対して螺着された座金付き螺子４６と、安全リブ部９７に形成された長穴９８ｈ，９９ｈとによる係止機構について例に挙げて説明した。
【００５７】
これに対して、ここでの係止機構としては、ケーシング４に対する前面下部パネル９の開度の規制が可能な機構であって、部品点数の増加を伴わない機構であれば、特に、上記実施形態における係止機構に限定されるものではない。
例えば、第１の例として、ケーシング４のリブ収納ガイド４８，４９において、開き軌道面に対して略垂直方向外側に向けて突出して形成される凸形状部を設けて、安全リブ部９７において、ケーシング４の凸形状部に対応した凹形状が前面下部パネル９の開き軌道に応じて延びるように形成されている略円弧状凹部を設けるようにしてもよい。この場合には、上記実施形態における安全性確保と部品点数削減の効果のみならず、エアフィルタ１１の交換時において、開閉部が外部から見えにくい構造にすることができ、意匠性を向上させることもできる。
【００５８】
また、第２の例として、安全リブ部９７において、開き軌道面に対して略垂直方向内側に向けて突出して形成される凸形状部を設けて、ケーシング４のリブ収納ガイド４８，４９において、安全リブ部９７の凸形状部に対応した凹形状が前面下部パネル９の開き軌道に応じて延びるように形成されている略円弧状凹部を設けるようにしてもよい。この場合についても、第１の例と同様の効果が得られる。
【００５９】
なお、上記第１の例および第２の例のいずれにおいても、安全リブ部９７は、フィルタ収納部９１に一体形成されてヒンジ近傍部分をひとつの頂点としている略三角形状のリブであってもよい。このような略三角形状のリブであっても、ケーシング４の外部から上記開きスペースＳを通じたファン３へのアクセスを阻むことができる。
また、例えば、図４において示すケーシング４の左側面４３や右側面４２に対して螺着され、安全リブ部９７の長穴９８ｈ，９９ｈと係止するような構造であってもよい。
【００６０】
さらに、貫通部材４７を設けることなく、リブ収納ガイド４８，４９、ケーシング４の左側面４３や右側面４２に対して、座金付き螺子４６を直接螺着することにより、上記実施形態と同様に前面下部パネル９の開度を規制するようにしてもよい。
（Ｃ）
上記床置き型空気調和機１では、図１〜６において示すように、全体が略直方体形状の床置き型空気調和機１を例に挙げて説明した。
【００６１】
しかし、床置き型空気調和機１の形状としては、このような直方体形状に限られるものではなく、円柱形状の床置き型空気調和機であってもよい。この場合には、例えば、下部パネルが下方において放射状に複数設けられているような構造であってもよい。この場合、室内空気を放射状に複数箇所から吸い込んで、調和された空気が上方のパネル部分から放射される構成とすることができる。この場合、各下部パネルは、放射状外側に向けて開いて、エアフィルタ１１の着脱を行うようにしてもよい。なお、各下部パネルについて、上記実施形態で説明した安全リブ部９７、貫通部材４７および座金付き螺子４６による係止機構と同様の機構を採用することができる。これにより、放射状に設けられる下部パネルについて、上記実施形態と同様の効果を得ることができる。
【００６２】
（Ｄ）
上記床置き型空気調和機１では、ファン３（シロッコファン）がケーシング４の下方に設けられている床置き型空気調和機１について例に挙げて説明した。
ここでの床置き型空気調和機１に設けられるファン３としては、特に種類を限定する必要はなく、例えば、ターボファンやクロスフローファン等であってもよい。
【００６３】
（Ｅ）
上記床置き型空気調和機１では、座金付き螺子４６は、図９において示すように、螺子部４６ｂと座金部４６ａとが一体となって構成されているものを採用している。
これに対して、座金と螺子部とが別々の座金付き螺子であってもよい。
【産業上の利用可能性】
【００６４】
本発明に係る床置き型空気調和機によれば、フィルタをメンテナンスする際の安全性を確保しつつ部品点数を減らすことが可能となるため、フィルタを介して調和前の空気を吸い込み、調和後の空気を排出する床置き型空気調和機への適用が特に有用である。
【図面の簡単な説明】
【００６５】
【図１】床置き型空気調和機の外観の正面図。
【図２】ファン３の近傍における概略構成を示す図。
【図３】床置き型空気調和機の外観上面図。
【図４】床置き型空気調和機の下方の内部構成を示す断面図。
【図５】床置き型空気調和機の外観側面図。
【図６】前面下部パネル閉状態における内部構成を示す側断面図。
【図７】前面下部パネル開状態における構成を示す側面図。
【図８】前面下部パネルからエアフィルタを着脱する様子を示す図。
【図９】前面下部パネルの開き係止機構を示す側面図。
【図１０】前面下部パネルの開き係止機構を示す断面図。
【図１１】従来の接触防止用網付き床置き型空気調和機の図。
【図１２】従来のリミットスイッチ付き床置き型空気調和機の図。
【符号の説明】
【００６６】
１    床置き型空気調和機
３    送風機（シロッコファン，ターボファン，クロスフローファン）
４      ケーシング
９      パネル（前面下部パネル）
１１      フィルタ
９１      フィルタ収納部
９７      安全部
４６      係止手段，座金付き螺子
４６ａ    座金，座金部
４７      係止手段，貫通材，貫通部材
９８ｈ，９９ｈ      被係止手段，長穴
ＯＳ      スペース（開きスペース）